(57)【要約】【課題】  安全運転に支障を来すことなくガイドボーカルを伝達することができるようにする。【解決手段】  楽曲データを格納する楽曲データベース５５と、ガイドボーカルの出力を提供するための歌詞音声データを記憶する歌詞音声データ記憶手段５９と、歌唱者が運転者として指定された選曲データに運転者フラグを付帯させて予約待ち行列に登録する予約管理手段５８と、運転者フラグが付帯した楽曲の場合には運転席のみに対応した指向性スピーカ２３からガイドボーカルを出力し、運転者フラグが付帯していない楽曲の場合にはガイドボーカルの出力を行わないような制御を行う歌詞音声出力制御手段６０と、歌詞テロップデータを当該楽曲の演奏データに同期させて表示手段２４に出力する再生制御手段６１と、を備える。【選択図】  図１
2008241761.tif 000002
【特許請求の範囲】
【請求項１】
車両に搭載されて、利用者が選曲したカラオケ楽曲の演奏データに基づきカラオケ演奏を行うと共に、カラオケ演奏に際してガイドボーカルを出力させる機能を有する車載用カラオケシステムであって、
伴奏音及び歌唱音声を出力するメインスピーカと、運転席のみに向かってガイドボーカルを出力する指向性スピーカと、少なくとも歌詞テロップを表示可能な表示手段と、を備えると共に、
楽曲データベースと、歌詞音声データ記憶手段と、予約管理手段と、歌詞音声出力制御手段と、再生制御手段と、を備え、
前記楽曲データベースは、各カラオケ楽曲に対応した演奏データ及び歌詞テロップデータが同期されて構成される楽曲データについて、楽曲コードと対応付けてそれぞれ格納し、
前記歌詞音声データ記憶手段は、各カラオケ楽曲に対応したガイドボーカルの出力を提供するための歌詞音声データを記憶し、
前記予約管理手段は、利用者の選曲に際し、歌唱者が運転者として指定された選曲データに対して運転者フラグを付帯させて予約待ち行列に登録し、
前記歌詞音声出力制御手段は、前記運転者フラグが付帯されたカラオケ楽曲を演奏する際には、前記歌詞音声データ記憶手段に記憶された歌詞音声データをガイドボーカルに復元して前記指向性スピーカから出力し、前記運転者フラグが付帯されていないカラオケ楽曲を演奏する際には、前記指向性スピーカからのガイドボーカル出力を行わないように制御し、
前記再生制御手段は、前記楽曲データベースから抽出された楽曲データのうちの歌詞テロップデータを当該楽曲の演奏データに同期させて表示手段に出力する、
ことを特徴とする車載用カラオケシステム。
【請求項２】
車両に搭載されて、利用者が選曲したカラオケ楽曲の演奏データに基づきカラオケ演奏を行うと共に、カラオケ演奏に際してガイドボーカルを出力させる機能を有する車載用カラオケシステムであって、
伴奏音及び歌唱音声を出力するメインスピーカと、運転席のみに向かってガイドボーカルを出力する指向性スピーカと、少なくとも歌詞テロップを表示可能な表示手段と、を備えると共に、
楽曲データベースと、歌詞音声データ記憶手段と、マイクロホンと、声紋識別手段と、音声認識手段と、声紋データ記憶手段と、予約管理手段と、歌詞音声出力制御手段と、再生制御手段と、を備え、
前記楽曲データベースは、各カラオケ楽曲に対応した演奏データ及び歌詞テロップデータが同期されて構成される楽曲データについて、楽曲コードと対応付けてそれぞれ格納し、
前記歌詞音声データ記憶手段は、各カラオケ楽曲に対応したガイドボーカルの出力を提供するための歌詞音声データを記憶し、
前記声紋識別手段は、前記マイクロホンから入力された音声データに基づいて声紋データを識別し、
前記音声認識手段は、選曲のために、前記マイクロホンから入力された音声データに基づいて音声認識を行い、
前記声紋データ記憶手段は、少なくとも運転者の声紋データを記憶し、
前記予約管理手段は、利用者の選曲に際し、前記マイクロホンから入力された音声データに基づき識別された声紋データが運転者の声紋データと一致した場合に、選曲データに対して運転者フラグを付帯させて予約待ち行列に登録し、
前記歌詞音声出力制御手段は、前記運転者フラグが付帯されたカラオケ楽曲を演奏する際には、前記歌詞音声データ記憶手段に記憶された歌詞音声データをガイドボーカルに復元して前記指向性スピーカから出力し、前記運転者フラグが付帯されていないカラオケ楽曲を演奏する際には、前記指向性スピーカからのガイドボーカル出力を行わないように制御し、
前記再生制御手段は、前記楽曲データベースから抽出された楽曲データのうちの歌詞テロップデータを当該楽曲の演奏データに同期させて表示手段に出力する、
ことを特徴とする車載用カラオケシステム。
【発明の詳細な説明】
【技術分野】
【０００１】
本発明は、音声識別により選曲を行うと共に、ガイドボーカルを出力可能な車載用カラオケシステムに関するものである。
【背景技術】
【０００２】
従来、カラオケ装置において選曲等の操作を行う場合には、カラオケ装置本体に設けられた操作パネルやリモコン装置等を用いてデータの入力を行っていた。近年、カラオケ装置の普及に伴い、様々な環境でカラオケ装置を用いた歌唱を行いたいとの要望が高まっており、乗用車等の車両にカラオケ装置を搭載して、ドライブへ出かけた際にカラオケ装置を用いた歌唱を楽しむための車載用カラオケシステムが種々開発されている。
【０００３】
また、カラオケ演奏に合わせて背景映像を表示すると共に、この背景映像に歌詞テロップをスーパーインポーズ処理して歌唱の補助を行うようにしたカラオケシステムも知られている。このように、カラオケ演奏の進行に従って歌詞テロップを表示すると、未だ歌詞をよく覚えていない場合であっても、カラオケ装置を用いた歌唱の楽しさを十分に楽しむことができる。
【０００４】
ところで、車両を運転中の運転者が、表示手段に表示された歌詞テロップを凝視することは安全運転上好ましくない。同様に、車両にカラオケ装置が搭載されている場合に、車両を運転中の運転者がカラオケ装置を手動操作することは安全運転上好ましくない。
そこで、骨伝導技術を用いて運転者に歌唱アシスト情報を聴取させるようにした車載用カラオケシステムが開示されている（特許文献１参照）。この特許文献１に記載された技術は、運転席のヘッドレスト内に骨伝導スピーカを埋め込み、この骨伝導スピーカからガイドボーカルやガイドメロディ等の歌唱アシスト情報を出力するようになっている。
【０００５】
また、音声識別技術を用いて、選曲や、音量及びテンポ等の調整指示を行うことができるカラオケ装置が開示されている（特許文献２参照）。この特許文献２に記載された技術は、１つのマイクロホンを歌唱用と選曲用とに切り替えて使用するもので、非演奏時、前奏時、中奏時、後奏時等のように歌唱の邪魔にならない時にのみ、選曲や、音量及びテンポ等の調整指示を行うことができるようになっている。
【０００６】
【特許文献１】特開２００５−２４２０５７号公報
【特許文献２】特開平１１−２８２４７７号公報
【発明の開示】
【発明が解決しようとする課題】
【０００７】
しかしながら、上述した特許文献１に記載された技術は、運転席のヘッドレスト内に骨伝導スピーカを埋め込むことにより、骨伝導技術を用いて運転者に歌唱アシスト情報を提供するという点に関しては安全運転という要請に応えることができる。しかし、骨伝導スピーカがヘッドレスト内に埋め込まれているため、この骨伝導スピーカから出力される歌唱アシスト情報を聴取するためには、ヘッドレストに対して常に頭部を接触させておく必要がある。すなわち、特許文献１に記載された技術を用いて運転者に歌唱アシスト情報を提供しようとすると、運転者の姿勢が限定されてしまうため、さらなる改良の余地があった。
【０００８】
さらに、安全運転という観点から、歌詞テロップ等が表示される表示装置を運転者が凝視することは好ましくないが、運転者以外の者が表示装置を凝視しても差し支えない。また、表示装置において歌詞テロップ等の歌唱アシスト情報を視覚的に表示するようにすれば、音声のみにより歌唱アシスト情報を提供する場合と比較して、多彩な歌唱アシスト情報を提供することができる。
【０００９】
また、上述した特許文献２に記載された技術は、１つのマイクロホンを歌唱用と選曲用とに切り替えて、選曲や、音量及びテンポ等の調整指示を行うことができる。したがって、この技術を車載用カラオケシステムに適用することにより、選曲等の操作に関しては安全運転という要請に応えることができるが、歌詞テロップ等の歌唱アシスト情報の伝達に関しては安全運転に寄与するという要請に応えることはできない。
【００１０】
本発明は、上述した事情に鑑み提案されたもので、音声認識により選曲を行うと共に、安全運転に支障を来すことなくガイドボーカルを伝達することができるようにして、車両を運転中であってもカラオケ演奏を楽しむことが可能な車載用カラオケシステムを提供することを目的とする。
【課題を解決するための手段】
【００１１】
本発明の車載用カラオケシステムは、上述した事情に鑑み提案されたもので、以下の特徴点を備えている。
すなわち、本発明の車載用カラオケシステムは、車両に搭載されて、利用者が選曲したカラオケ楽曲の演奏データに基づきカラオケ演奏を行うと共に、カラオケ演奏に際してガイドボーカルを出力させる機能を有する車載用カラオケシステムであって、伴奏音及び歌唱音声を出力するメインスピーカと、運転席のみに向かってガイドボーカルを出力する指向性スピーカと、少なくとも歌詞テロップを表示可能な表示手段とを基本構成として備えている。
さらに、この車載用カラオケシステムは、楽曲データベースと、歌詞音声データ記憶手段と、予約管理手段と、歌詞音声出力制御手段と、再生制御手段と、を備えている。
【００１２】
ここで、楽曲データベースは各カラオケ楽曲に対応した演奏データ及び歌詞テロップデータが同期されて構成される楽曲データについて、楽曲コードと対応付けてそれぞれ格納し、歌詞音声データ記憶手段は、各カラオケ楽曲に対応したガイドボーカルの出力を提供するための歌詞音声データを記憶し、予約管理手段は、利用者の選曲に際し、歌唱者が運転者として指定された選曲データに対して運転者フラグを付帯させて予約待ち行列に登録し、歌詞音声出力制御手段は、運転者フラグが付帯されたカラオケ楽曲を演奏する際には、歌詞音声データ記憶手段に記憶された歌詞音声データをガイドボーカルに復元して指向性スピーカから出力し、運転者フラグが付帯されていないカラオケ楽曲を演奏する際には、指向性スピーカからのガイドボーカル出力を行わないように制御し、再生制御手段は、楽曲データベースから抽出された楽曲データのうちの歌詞テロップデータを当該楽曲の演奏データに同期させて表示手段に出力する、ことを特徴とするものである。
【００１３】
また、本発明の車載用カラオケシステムは、上述した基本構成に加えて、楽曲データベースと、歌詞音声データ記憶手段と、マイクロホンと、声紋識別手段と、音声認識手段と、声紋データ記憶手段と、予約管理手段と、歌詞音声出力制御手段と、再生制御手段と、を備えている。
【００１４】
ここで、楽曲データベースは、各カラオケ楽曲に対応した演奏データ及び歌詞テロップデータが同期されて構成される楽曲データについて、楽曲コードと対応付けてそれぞれ格納し、歌詞音声データ記憶手段は、各カラオケ楽曲に対応したガイドボーカルの出力を提供するための歌詞音声データを記憶し、声紋識別手段は、マイクロホンから入力された音声データに基づいて声紋データを識別し、音声認識手段は、選曲のために、マイクロホンから入力された音声データに基づいて音声認識を行い、声紋データ記憶手段は、少なくとも運転者の声紋データを記憶し、予約管理手段は、利用者の選曲に際し、マイクロホンから入力された音声データに基づき識別された声紋データが運転者の声紋データと一致した場合に、選曲データに対して運転者フラグを付帯させて予約待ち行列に登録し、歌詞音声出力制御手段は、運転者フラグが付帯されたカラオケ楽曲を演奏する際には、歌詞音声データ記憶手段に記憶された歌詞音声データをガイドボーカルに復元して指向性スピーカから出力し、運転者フラグが付帯されていないカラオケ楽曲を演奏する際には、指向性スピーカからのガイドボーカル出力を行わないように制御し、再生制御手段は、楽曲データベースから抽出された楽曲データのうちの歌詞テロップデータを当該楽曲の演奏データに同期させて表示手段に出力する、ことを特徴とするものである。
【発明の効果】
【００１５】
本発明のカラオケシステムによれば、歌唱者が運転者として指定された選曲データについて、歌詞音声データをガイドボーカルとして指向性スピーカから出力する。この指向性スピーカは、運転席のみに向かってガイドボーカルを出力するため、運転者のみがガイドボーカルを聴取することができる。したがって、車両を運転中の運転者は、表示手段に表示される歌詞テロップを凝視することなく、音声情報としてガイドボーカルを聴取することができるので、安全運転に貢献することができる。また、ガイドボーカルは運転者のみに向かって出力されるため、運転者以外の搭乗者にとってはガイドボーカルが邪魔になることがなく、カラオケ演奏を十分に楽しむことができる。
【００１６】
一方、運転者以外の搭乗者は、表示手段に表示される歌詞テロップを目視することができるので、音声のみにより歌唱アシスト情報を提供する場合と比較して、多彩な歌唱アシスト情報を提供することができる。
【００１７】
また、音声認識により楽曲の選択を行うようにすると、選曲操作が容易となるだけではなく、手動操作によるデータ入力が困難な場合、あるいは、車両を運転中の運転者のように手動操作によるデータ入力が好ましくない場合であっても、カラオケ装置を用いた歌唱の楽しさを十分に楽しむことができる。
【発明を実施するための最良の形態】
【００１８】
以下、図面を参照して、本発明の車載用カラオケシステムの実施形態を説明する。
本発明の実施形態に係る車載用カラオケシステムは、車両に搭載されて、利用者が選曲したカラオケ楽曲の演奏データに基づきカラオケ演奏を行うと共に、カラオケ演奏に際してガイドボーカルを出力させる機能を有するものである。
【００１９】
＜第１の実施形態＞
図１は、本発明の第１の実施形態に係る車載用カラオケシステムの構成を示すブロック図である。また、図２は、楽曲選択画面の模式図、図３は、予約待ち行列の説明図である。
本発明の第１の実施形態に係る車載用カラオケシステム１は、図１に示すように、カラオケ装置本体２１を備えており、このカラオケ装置本体２１には、メインスピーカ２２、指向性スピーカ２３、表示手段２４、マイクロホン２５、及びリモコン装置２６が接続されている。
【００２０】
＜メインスピーカ＞
メインスピーカ２２は、伴奏音及び歌唱音声を出力するための装置であり、広範囲に可聴音を到達させることができるようになっている。このメインスピーカ２２は、例えば、ツイータ、スコーカ、ウーハ等からなる一般的な音声聴取用のスピーカからなり、指向性スピーカ２３と比較して、可聴音が到達する範囲が広くなっている。
【００２１】
＜指向性スピーカ＞
指向性スピーカ２３は、運転席に対応付けて配置されており、歌唱者が運転者として指定された楽曲についてのみガイドボーカルを出力するための装置である。この指向性スピーカ２３の指向角度は特に限定されず、車両の大きさ、車内の座席配置等に応じて適宜変更して設定することができる。
【００２２】
＜表示手段＞
表示手段２４は、楽曲の選曲表示やカラオケ演奏時の映像、歌詞テロップ等を表示するための装置で、例えばＣＲＴディスプレイ、液晶ディスプレイ、プラズマディスプレイ等により構成される。この表示手段２４は、後述する操作パネルと連動するユーザインタフェース機能を備えている。具体的には、ディスプレイとタッチセンサとを重畳してタッチ入力を可能とし、ディスプレイに表示されるアイコンやラジオボタン等にタッチすることにより楽曲の選択やその他のデータ入力を行うことができるようなＧＵＩ機能を備えている。
【００２３】
＜マイクロホン＞
マイクロホン２５は、音声データの入力を行うための装置で、有線式、無線式のどちらであってもよい。また、マイクロホン２５は１本のみに限られず、各座席にそれぞれ対応させて複数本設置してもよい。特に、本発明はカラオケ装置を車両に搭載したものであるため、運転者用としてハンドフリー方式のマイクロホン２５を採用することが好ましい。
【００２４】
＜リモコン装置＞
リモコン装置２６は、選曲や音量及びテンポ等の調整指示を行うための装置であり、公知のリモコン装置２６を利用することができる。
【００２５】
＜カラオケ装置本体＞
カラオケ装置本体２１は、バス５１、中央制御手段５２、ＲＯＭ５３、ＲＡＭ５４、楽曲ＤＢ（楽曲データベース）５５、映像ＤＢ（映像データベース）５６、音楽曲出力手段５７、予約管理手段５８、歌詞音声データ記憶手段５９、歌詞音声出力制御手段６０、再生制御手段６１、操作入力ＩＦ（操作入力インタフェース）６２、操作パネル６３、及び受信手段６４を備えている。
【００２６】
＜中央制御手段＞
中央制御手段５２は、カラオケシステムを総合的に制御するための手段であり、例えばＣＰＵ及びその周辺機器により構成されており、ＣＰＵ等がＲＯＭ５３等に記憶されたアプリケーションプログラムに従って動作することにより、制御機能を発揮することができるようになっている。
【００２７】
＜ＲＯＭ／ＲＡＭ＞
ＲＯＭ５３は、カラオケシステムを構成する各機器を制御するためのアプリケーションプログラムデータや数値データを記憶するための機器で、例えば半導体メモリ等で構成される。また、ＲＡＭ５４は、アプリケーションプログラムや種々のデータを一時的に読み込む一時記憶領域として機能するための機器で、例えば半導体メモリ等で構成される。なお、物理的な半導体メモリによりＲＡＭ５４を構成するのではなく、ハードディスク記憶装置等を用いて仮想的なＲＡＭ５４を構成してもよい。本実施形態では、ＲＡＭ５４に、予約待ち行列が格納されている。
【００２８】
＜楽曲ＤＢ／映像ＤＢ＞
楽曲ＤＢ５５は、演奏データ（ＭＩＤＩ（登録商標）データ）及び歌詞テロップデータが同期されて構成される楽曲データについて、楽曲コードと対応付けてそれぞれ格納したデータベースである。ここで、演奏データは各楽曲の演奏データをデジタル化したものであり、歌詞テロップデータは演奏データに同期された楽曲の歌詞文字データである。映像ＤＢ５６は、演奏される楽曲に対応した背景映像を、当該楽曲の楽曲コードに対応させた映像ファイルとして所定数格納したデータベースである。
【００２９】
＜音楽曲出力手段＞
音楽曲出力手段５７は、楽曲コードに基づいて楽曲ＤＢ５５から抽出された演奏データをデジタル再生すると共にアナログ変換してミキシングアンプ６５に出力するための電子回路である。ミキシングアンプ６５は、マイクロホン２５から入力された歌唱者の歌唱音声と、音楽曲出力手段５７から送出される演奏データをミキシングすると共に、アンプ機能により増幅してメインスピーカ２２より出力させるための手段である。
【００３０】
＜予約管理手段＞
予約管理手段５８は、利用者の選曲に際し、選曲データに対して運転者フラグを付帯させて予約待ち行列に登録するための手段である。第１の実施形態における選曲操作は、リモコン装置２６や操作パネル６３等により行われる。
ここで、リモコン装置２６や操作パネル６３を用いて選曲を行う際に、楽曲検索機能により所望の楽曲を検索すると、図２に示すように、操作パネル６３の表示画面に、歌手名や曲名等と共に、運転者であるか否かの選択アイコンが表示される。この表示画面において、運転者である旨の選択を行うと、選曲データに対して運転者フラグが付帯されて予約待ち行列に登録される。
予約待ち行列は、図３に示すように、楽曲の演奏順に、楽曲ＩＤ、曲名、運転者フラグ等を格納するためのものである。この予約待ち行列は、例えば、ＲＡＭ５４等の記憶手段に格納される。なお、予約待ち行列の構成は図３に示すものに限定されず、最低限必要なデータのみの構成としたり、他のデータを付加したりすることができる。
【００３１】
＜歌詞音声データ記憶手段＞
歌詞音声データ記憶手段５９は、歌詞音声データを記憶するための手段であり、半導体メモリやハードディスク記憶装置により構成される。歌詞音声データは、所定の楽曲に対応したガイドボーカル出力を提供するためのデータであり、各楽曲に対応させて作成されている。
【００３２】
＜歌詞音声出力制御手段＞
歌詞音声出力手段は、運転者フラグが付帯されたカラオケ楽曲を演奏する際には、歌詞音声データ記憶手段５９に記憶された歌詞音声データをガイドボーカルに復元して、運転席に対応する指向性スピーカ２３から出力し、運転者フラグが付帯されていないカラオケ楽曲を演奏する際には、指向性スピーカ２３からのガイドボーカル出力を行わないような制御を行うためのプログラムである。
【００３３】
＜再生制御手段＞
再生制御手段６１は、カラオケ演奏中に、楽曲ＤＢ５５から抽出された楽曲データのうちの歌詞テロップデータ（歌詞文字データ）を当該楽曲の演奏データに同期させて表示手段２４に出力するための電子回路である。
【００３４】
＜操作入力ＩＦ／受信手段＞
操作入力ＩＦ６２は、受信手段６４を制御するための電子回路である。受信手段６４は、操作パネル６３及びリモコン装置２６から送信されてきた信号を受信するための手段であり、操作入力ＩＦ６２の制御により入力信号の整合性を取るようになっている。操作パネル６３は、表示手段２４のユーザインタフェース機能と連動して、出力音声のエコーや左右バランス、スピーカからの出力音量の調整を行うための装置である。
【００３５】
＜ガイドボーカル出力の手順＞
次に、図４を参照して、本発明の第１の実施形態に係る車載用カラオケシステムにおけるガイドボーカル出力の手順を説明する。図４は、本発明の第１の実施形態に係る車載用カラオケシステムにおけるガイドボーカル出力の手順を示すフローチャートである。
【００３６】
本発明の第１の実施形態に係る車載用カラオケシステムを用いてガイドボーカル出力を行うには、図４に示すように、まず、歌唱者を運転者として指定したか否かを判断し（Ｓ１）、歌唱者を運転者として指定した場合には、選曲データに運転者フラグを付帯して予約待ち行列に登録する（Ｓ２）。一方、歌唱者を運転者として指定しない場合には、運転者フラグを付帯せずに選曲データを予約待ち行列に登録する（Ｓ３）。続いて、登録楽曲を演奏し（Ｓ４）、当該楽曲に運転者フラグが付帯されているか否か、すなわち歌唱者を運転者として指定したか否かを判断する（Ｓ５）。
【００３７】
そして、当該楽曲に運転者フラグが付帯されている場合には、指向性スピーカからガイドボーカルを出力する（Ｓ６）。この場合、表示手段における歌詞テロップの表示は、表示手段の態様等に応じて任意に設定することができる。すなわち、歌唱者を運転者として指定している場合に、車両を運転中の運転者が歌詞テロップを凝視することは安全運転上好ましくない。したがって、歌唱者を運転者として指定している場合には、表示手段に歌詞テロップを表示しないような構成とすることにより、安全運転という要請に応えることができる。一方、車両の運転中に運転者が歌詞テロップを凝視することができないような表示画面の構成となっている場合には、表示手段に歌詞テロップを表示しても安全運転上差し支えない。
一方、当該楽曲に運転者フラグが付帯されていない場合には、指向性スピーカからガイドボーカルを出力しない（Ｓ７）。この場合には、運転者以外の搭乗者が歌詞テロップを凝視したとしても安全運転上差し支えないので、表示手段に歌詞テロップを表示する。
そして、システムの終了指示があるまで（Ｓ８）、上述した処理（Ｓ１〜Ｓ７）を繰り返して行う。
【００３８】
このように、第１の実施形態に係る車載用カラオケシステムによれば、歌唱者が運転者としてが指定された楽曲について、指向性スピーカから運転席のみに向かってガイドボーカルを出力する。したがって、車両を運転中の運転者は、表示手段に表示される歌詞テロップを目視することなく、ガイドボーカルを聴取して歌詞情報を得ることができるので、安全運転が可能となる。
【００３９】
＜第２の実施形態＞
図５は、本発明の第２の実施形態に係る車載用カラオケシステムの構成を示すブロック図である。
本発明の第２の実施形態に係る車載用カラオケシステムは、音声認識機能により選曲を行うと共に、声紋識別機能により運転者の声紋データを識別して、選曲者が運転者である場合に運転者フラグを付帯して予約待ち行列に登録するようにしたものであり、その他の構成は、上述した第１の実施形態に係る車載用カラオケシステムとほぼ同様となっている。
【００４０】
本発明の第２の実施形態に係る車載用カラオケシステム１１は、図５に示すように、上述した第１の実施形態の構成要素に加えて、声紋識別手段６６、音声認識手段６７、声紋データ記憶手段６８を備えている。以下、第１の実施形態に係る車載用カラオケシステムと相違する構成要素についてのみ説明する。
【００４１】
＜声紋識別手段＞
声紋識別手段６６は、マイクロホン２５から入力された音声データに基づいて声紋データを識別するための手段である。具体的には、マイクロホン２５から入力された音声データは、Ａ／Ｄコンバータ６９でＡ／Ｄ変換されて、所定のアルゴリズムに従って声紋が識別される。
【００４２】
ところで、人間の声は様々な周波数からなる音声を含んでいる。そして、音声の時間的推移、音声の周波数、音声の強度をグラフ化したものが声紋と称されており、声紋は個々人によりそれぞれ異なっている。近年、個人を特定するためのバイオメトリクス技術が急速に進歩しており、特に安価かつ容易に個人を特定するために声紋が用いられている。そこで、本発明では、入力された音声データから声紋を解析して、選曲者が運転者であるか否かの判断に用いている。なお、声紋認識を行って個人認証を行うための技術は、例えば特開２００３−２６４８５７号公報に詳しく記載されている。
【００４３】
＜音声認識手段＞
音声認識手段６７は、選曲のために、マイクロホン２５から入力された音声データに基づいて音声認識を行うための手段である。具体的には、マイクロホン２５から入力された音声データは、Ａ／Ｄコンバータ６９でＡ／Ｄ変換され、所定のアルゴリズムに従って音声認識が行われて楽曲が特定される。
歌唱したい楽曲の歌手名や曲名などを音声で発生することにより、当該楽曲を検索して演奏予約する技術は周知であり、例えば特開２００２−１８９４８３号公報に詳細に記載されている。
【００４４】
＜声紋データ記憶手段＞
声紋データ記憶手段６８は、例えばＲＡＭ５４により構成され、少なくとも運転者の声紋データを記憶する。なお、記憶する声紋データは運転者のものに限られず、搭乗者全員の声紋データを記憶することにより、当該声紋データを用いた他の識別処理を行ってもよい。
【００４５】
＜予約管理手段＞
予約管理手段５８は、利用者の選曲に際し、マイクロホン２５から入力された音声データに基づき識別された声紋データが運転者の声紋データと一致した場合に、選曲データに対して運転者フラグを付帯させて予約待ち行列に登録するための手段である。第２の実施形態における選曲操作は、音声認識機能により行う。なお、選曲者が運転者でない場合には、安全運転上の問題が生じないため、リモコン装置２６や操作パネル６３等を用いて選曲操作を行ってもよい。
【００４６】
＜ガイドボーカル出力の手順＞
次に、図６を参照して、本発明の第２の実施形態に係る車載用カラオケシステムにおけるガイドボーカル出力の手順を説明する。図６は、本発明の第２の実施形態に係る車載用カラオケシステムにおけるガイドボーカル出力の手順を示すフローチャートである。
【００４７】
本発明の第２の実施形態に係る車載用カラオケシステムを用いてガイドボーカル出力を行うには、図６に示すように、まず初めに、運転者がマイクロホンに音声データを入力し、当該音声データに基づき識別した声紋データを運転者のものとして記憶する（Ｓ１１）。
【００４８】
そして、選曲に際して、マイクロホンから入力された音声データに基づき声紋データを識別すると共に（Ｓ１２）、選曲のための音声認識を行う（Ｓ１３）。そして、運転者の声紋データと一致したか否かを判断し（Ｓ１４）、選曲者が運転者である場合には、選曲データに運転者フラグを付帯して予約待ち行列に登録する（Ｓ１５）。一方、選曲者が運転者でない場合には、運転者フラグを付帯せずに選曲データを予約待ち行列に登録する（Ｓ１６）。続いて、登録楽曲を演奏し（Ｓ１７）、当該楽曲に運転者フラグが付帯されているか否か、すなわち歌唱者が運転者として指定されているか否かを判断する（Ｓ１８）。
【００４９】
そして、当該楽曲に運転者フラグが付帯されている場合には、指向性スピーカからガイドボーカルを出力する（Ｓ１９）。一方、当該楽曲に運転者フラグが付帯されていない場合には、指向性スピーカからガイドボーカルを出力しない（Ｓ２０）。ここで、表示手段に歌詞テロップを表示するか否かは、上述した第１の実施形態と同様に設定することができる。
そして、システムの終了指示があるまで（Ｓ２１）、上述した処理（Ｓ１２〜Ｓ２０）を繰り返して行う。
【００５０】
このように、第２の実施形態に係る車載用カラオケシステムによれば、上述した第１の実施形態に係る車載用カラオケシステムと同様に、車両を運転中の運転者は、表示手段２４に表示される歌詞テロップを目視することなく、ガイドボーカルを聴取して歌詞情報を得ることができるので、安全運転が可能となる。
【００５１】
さらに、音声認識により楽曲の選択を行っているため、選曲操作が容易となる。特に、車両を運転中の運転者のように手動操作によるデータ入力が好ましくない場合には、音声認識により楽曲の選曲を行うことにより安全運転に貢献することができる。
【００５２】
＜具体的な車内配置＞
次に、図７を参照して、上述した車載用カラオケシステムの具体的な車内配置について説明する。図７は、本発明の実施形態に係る車載用カラオケシステムの具体的な車内配置を示す模式図である。
【００５３】
乗用車等の車室３１内には、図７に示すように、車室３１内の前方に位置するように左右一対のメインスピーカ２２が配置されると共に、運転席３２のみにガイドボーカルを出力するための指向性スピーカ２３が配置されている。また、車室３１内の前方には、助手席３３側に液晶ディスプレイ等からなる表示手段２４が配置されている。さらに、車室３１内には、カラオケ装置本体２１、リモコン装置２６、及びマイクロホン２５が搭載されている。なお、表示手段２４は、例えばカーナビゲーションシステム等の表示手段を兼用してもよい。
【００５４】
＜他の実施形態＞
本発明の車載用カラオケシステムを構成する機器や手段は上述したものに限定されず、カラオケシステムを搭載する車両の種類等に応じて、必要な機器や手段のみの構成としたり、適宜他の機器や手段を付加したりすることができる。
また、各手段をそれぞれ別個のものとして構成するのではなく、複数の機能を統合した手段として構成してもよい。
【図面の簡単な説明】
【００５５】
【図１】本発明の第１の実施形態に係る車載用カラオケシステムの構成を示すブロック図。
【図２】本発明の第１の実施形態に係る車載用カラオケシステムにおける楽曲選択画面の模式図。
【図３】本発明の第１の実施形態に係る車載用カラオケシステムで用いる予約待ち行列の説明図。
【図４】本発明の第１の実施形態に係る車載用カラオケシステムにおけるガイドボーカル出力の手順を示すフローチャート。
【図５】本発明の第２の実施形態に係る車載用カラオケシステムの構成を示すブロック図。
【図６】本発明の第２の実施形態に係る車載用カラオケシステムにおけるガイドボーカル出力の手順を示すフローチャート。
【図７】本発明の実施形態に係る車載用カラオケシステムの具体的な車内配置を示す模式図。
【符号の説明】
【００５６】
１、１１  車載用カラオケシステム
２１  カラオケ装置本体
２２  メインスピーカ
２３  指向性スピーカ
２４  表示手段
２５  マイクロホン
２６  リモコン装置
３１  車室
３２  運転席
３３  助手席
５１  バス
５２  中央制御手段
５３  ＲＯＭ
５４  ＲＡＭ
５５  楽曲ＤＢ
５６  映像ＤＢ
５７  音楽曲出力手段
５８  予約管理手段
５９  歌詞音声データ記憶手段
６０  歌詞音声出力制御手段
６１  再生制御手段
６２  操作入力ＩＦ
６３  操作パネル
６４  受信手段
６５  ミキシングアンプ
６６  声紋識別手段
６７  音声認識手段
６８  声紋データ記憶手段
６９  Ａ／Ｄコンバータ
【図１】
2008241761.tif 000003
【図２】
2008241761.tif 000004
【図３】
2008241761.tif 000005
【図４】
2008241761.tif 000006
【図５】
2008241761.tif 000007
【図６】
2008241761.tif 000008
【図７】
2008241761.tif 000009